(57)【要約】【課題】移動無線通信ネットワークの移動無線通信装置を提供する。【解決手段】移動無線通信装置は非同期ランダムアクセス・プリアンブルメッセージを配信するように構成され、その結果、非同期ランダムアクセス・プリアンブル・メッセージが、コーズＩＤビットと、少なくとも衝突回避用署名ビットを含む選択ビットとを含む多重ビット・メッセージを具備している、この場合、ＣＱＩビットの包含方式は、ネットワークから受信された、セル特性又はパラメータを示すシグナリングに対応して決定される。【選択図】図３
2010516068.tif 000002
【特許請求の範囲】
【請求項１】
移動無線通信ネットワークで使用する移動無線通信装置であり、非同期ランダムアクセス・プリアンブルを配信するように構成されている移動無線通信装置であって、前記非同期ランダムアクセス・プリアンブルが、コーズＩＤビットと選択ビットとを含む多重ビット構造を有し、前記選択ビットが少なくとも衝突回避用署名ビットを含んでいることを特徴とする移動無線通信装置。
【請求項２】
前記選択ビットがチャネル品質表示ビットを含み得ることを特徴とする請求項１に記載の装置。
【請求項３】
前記チャネル品質表示ビットが、前記メッセージのうちの前記署名ビットと同じ部分を共有するように構成されていることを特徴とする請求項２に記載の装置。
【請求項４】
前記ネットワークからの命令に応じて前記選択ビットの構成を変更するように構成されていることを特徴とする請求項１から３のいずれか１項に記載の装置。
【請求項５】
システム情報ブロック・メッセージングを介して前記命令を受信するように構成されていることを特徴とする請求項４に記載の装置。
【請求項６】
前記命令が２ビットのチャネル品質プリアンブル・フラグを含んでいることを特徴とする請求項４又は５に記載の装置。
【請求項７】
移動無線通信ネットワーク内の移動無線通信装置に命令を送信するように構成されているネットワーク要素であって、前記命令が、コーズＩＤビットと前記選択ビットとを含む多重ビット非同期ランダムアクセス・プリアンブル配列内の選択ビットの構成を決定するように機能し、前記選択ビットが、少なくとも衝突回避用署名ビットを更に含んでいることを特徴とするネットワーク要素。
【請求項８】
前記選択ビットがチャネル品質表示ビットを含んでいることを特徴とする請求項７に記載のネットワーク要素。
【請求項９】
ＳＩＢメッセージング内で前記命令を送出するように構成されていることを特徴とする請求項７又は８に記載のネットワーク要素。
【請求項１０】
前記命令が、２ビットのプリアンブル品質指標フラグを含み得ることを特徴とする請求項７から８のいずれか１項に記載のネットワーク要素。
【請求項１１】
セルパラメータに応じて前記命令を送出するように構成されていることを特徴とする請求項７から１０のいずれか１項に記載のネットワーク要素。
【請求項１２】
前記セルパラメータが、トラフィック負荷、待ち時間要件、及びネットワーク要素位置のうちの少なくとも１つを含んでいることを特徴とする請求項１１に記載のネットワーク要素。
【請求項１３】
ｅ−ＮＢ要素を含んでいることを特徴とする請求項７から１２のいずれか１項に記載のネットワーク要素。
【請求項１４】
後続の非同期ランダムアクセス・プリアンブルを受信して復号化するように更に構成されていることを特徴とする請求項７から１３のいずれか１項に記載のネットワーク要素。
【請求項１５】
前記復号化を時間制御するためのタイマーを含んでいることを特徴とする請求項１４に記載のネットワーク要素。
【請求項１６】
移動無線通信装置内で多重ビット・ランダムアクセス・プリアンブル配列の構成を決定する方法であって、前記非同期ランダムアクセス・プリアンブル・メッセージがコーズＩＤビットと選択ビットとを含み、前記選択ビットが少なくとも衝突回避用署名ビットを含み、前記移動無線通信装置で受信された命令に応じて前記選択ビットを選択するステップを更に含んでいる方法。
【請求項１７】
前記選択ビットがチャネル品質表示ビットを含んでいることを特徴とする請求項１６に記載の方法。
【請求項１８】
前記命令がＳＩＢメッセージング内で受信されることを特徴とする請求項１６又は１７に記載の方法。
【請求項１９】
前記命令が２ビットのプリアンブル・チャネル品質フラグを含んでいることを特徴とする請求項１６から１８のいずれか１項に記載の方法。
【請求項２０】
移動無線通信ネットワーク内の移動無線通信装置から配信される非同期ランダムアクセス・プリアンブル構造等の非同期ランダムアクセス・プリアンブル構造であって、前記ランダムアクセス・プリアンブルが、コーズＩＤビットと選択ビットとを含む多重ビット配列を備え、前記選択ビットが少なくとも衝突回避用署名ビットを含んでいる、非同期ランダムアクセス・プリアンブル構造。
【請求項２１】
前記選択ビットが、チャネル品質表示ビットを含むように選択される構成になされていることを特徴とする請求項２０に記載のプリアンブル構造。
【請求項２２】
中の２ビットが前記コーズＩＤビットを含んでいる６ビットのメッセージを、前記非同期ランダムアクセス・プリアンブル・メッセージが備えていることを特徴とする請求項２０又は２１に記載のプリアンブル構造。
【請求項２３】
４ビットが前記選択ビットを含み、その４ビットにおいて、少なくとも２ビットが、チャネル品質表示ビットを含むように選択され得ることを特徴とする請求項２２に記載のプリアンブル構造。
【請求項２４】
移動無線通信ネットワーク内の移動無線通信装置からの非同期ランダムアクセス・プリアンブルの配列を制御する方法であって、前記方法は前記プリアンブルの構成を決定するステップを含み、このプリアンブルはコーズＩＤビットと、少なくとも衝突回避用署名ビットを含む選択ビットとを含み、前記選択ビットを選択させるために、前記ネットワークから前記移動無線通信装置に命令を配信することを更に含んでいる方法。
【請求項２５】
前記選択ビットがチャネル品質表示ビットを含んでいることを特徴とする請求項２４に記載の方法。
【請求項２６】
前記ネットワークが、ＳＩＢシグナリング内で前記命令を配信するように構成されていることを特徴とする請求項２４又は２５に記載の方法。
【請求項２７】
前記ネットワークから配信される前記命令が、セルパラメータに応じて決定されることを特徴とする請求項２４から２６のいずれか１項に記載の方法。
【請求項２８】
前記セルパラメータが、トラフィック負荷、待ち時間要件、及びｅＮＢ位置のうちの少なくとも１つを含んでいることを特徴とする請求項２７に記載の方法。
【請求項２９】
実質的に添付図面を用いて上述されたような移動無線通信ネットワークの移動無線通信装置。
【請求項３０】
移動無線通信ネットワーク内の移動無線通信装置に命令を送信するように構成されたネットワーク要素であって、実質的に添付図面を用いて上述されたようなネットワーク要素。
【請求項３１】
実質的に添付図面を用いて上述されたような、多重ビット非同期ランダムアクセス・プリアンブル・メッセージの構成を決定する方法。
【請求項３２】
実質的に添付図面の図１及び図２を用いて上述され、同図に例示された、非同期ランダムアクセス・プリアンブル。
【請求項３３】
実質的に添付図面を用いて上述されたような、非同期ランダムアクセス・プリアンブル・メッセージの配列を制御する方法。
【発明の詳細な説明】
【技術分野】
【０００１】
本発明は、移動電気通信分野に関し、特に、非同期ランダムアクセス・プリアンブル配列を制御するように構成された移動無線通信装置、並びに、関連のネットワーク及びネットワーク要素、更には非同期ランダムアクセス・プリアンブルの上記配列に関する。
【背景技術】
【０００２】
イボルブド・ユニバーサル電気通信無線アクセスネットワーク（Ｅ−ＵＴＲＡＮ）システムに関連する議論において、第３世代パートナーシップ・プロジェクト（３ＧＰＰ）の下で設立された無線アクセスネットワーク（ＲＡＮ）ワーキンググループは、非同期ランダムアクセス（ＲＡ）プリアンブル配列に焦点を絞ってきた。
【０００３】
以下のものを含め、上記ワーキンググループによる種々の提言が入手可能である。
【先行技術文献】
【非特許文献】
【０００４】
【非特許文献１】３ＧＰＰ  ＴＳＧ  ＲＡＮ１＃４６ｂｉｓ、Ｒ１−０６２９７６、ランダム−アクセス関連課題に関するＲＡＮ２  ＬＳへの返答、ソウル、２００６年１０月９日〜１３日。
【非特許文献２】３ＧＰＰ  ＴＳＧ  ＲＡＮ２＃５５、Ｒ２−０６２９５２、モトローラ社による非同期ランダムアクセス・メッセージの配列、２００６年１０月９日〜１３日。
【非特許文献３】３ＧＰＰ  ＴＳＧ  ＲＡＮ２＃５４、Ｒ２−０６２１０７、ＴＩ社による初期非同期ＲＡＣＨアクセスの配列及び競合解決、タリン、２００６年８月２８日〜９月１日
【非特許文献４】３ＧＰＰ  ＴＳＧ  ＲＡＮ２＃５５、Ｒ２−０６２９３７、フィリップス社による非同期ＲＡＣＨプリアンブル・メッセージの配列、ソウル、２００６年１０月９日〜１３日
【非特許文献５】３ＧＰＰ  ＴＳＧ  ＲＡＮ２＃５５、Ｒ２−０６２８２２、サムスン社によるランダムアクセス・プリアンブルの情報、ソウル、２００６年１０月９日〜１３日
【非特許文献６】３ＧＰＰ  ＴＳＧ  ＲＡＮ２＃５５、Ｒ２−０６２９９５、ＮＴＴドコモ社によるＬＴＥでの初期アクセス手順、ソウル、２００６年１０月９日〜１３日
【発明の概要】
【発明が解決しようとする課題】
【０００５】
しかし、ペイロードとプリアンブルとの間の厳密な関わりに関して、最終的提案も開示もまだ行われていない。
【０００６】
現在のところ合意点は全般的に、プリアンブルを選択することによってＲＡプリアンブル・ペイロードを黙示的に送信することに関する。更に、ＲＡプリアンブルの適切なサイズは６ビットと考えられている。
【０００７】
しかし、限定的であること、及び有用な選択上の柔軟性が欠如していること、が分かっているため、本発明は、非同期ＲＡプリアンブルの配列に関して不都合な制約が存在することを認識している。
【課題を解決するための手段】
【０００８】
本発明は、公知のかかる構造に対して利点を有する非同期ＲＡプリアンブル配列構造、更には、当該非同期ＲＡプリアンブル配列を用いるように構成された移動通信装置、関連ネットワーク、及び関連ネットワーク要素であって、公知のかかる装置、ネットワーク、及び要素に対して利点を発揮する装置、ネットワーク、及び要素を提供しようとするものである。
【０００９】
本発明の第１の態様によれば、移動無線通信ネットワークで用いられ、非同期ランダムアクセス・プリアンブルを配信するように構成された移動無線通信装置であって、非同期ランダムアクセス・プリアンブルが、コーズ（Ｃａｕｓｅ）ＩＤビットと選択ビットとを含む多重ビット構造を有し、上記選択ビットが少なくとも衝突回避用ランダムＩＤビットを含んでいる、移動無線通信装置が提供される。
【００１０】
したがって、本発明の移動無線通信装置は、関連技術には見られない適切な柔軟度を有する非同期ランダムアクセス・プリアンブル配列を生成できるという点において有利である。
【００１１】
次いで、ランダムアクセス・プリアンブルを、異なる負荷、待ち時間要件、及び展開された子ノード（ｅＮＢ）位置、等の様々なセルパラメータ及び特性を考慮して、応答的態様で容易に用い得るという点で、かかる柔軟性は特に有利であることが分かる。
【００１２】
このように、また更に後述するように、かかる装置を用いる移動無線通信ネットワークは、ネットワークセル及びｅＮＢ位置内の例えば待ち時間上の制約及び期待ローディングに依存する様々なランダムアクセス・プリアンブル方式を、有利に採用することができる。
【００１３】
したがって、関連技術にない柔軟性が有利に達成される。
【００１４】
上記選択ビットは、チャネル品質表示（ＣＱＩ）ビットを含んで構成し得ることが好ましい。特に、ＣＱＩビットは、プリアンブルのうちの署名ビットと同じ部分を共有する。
【００１５】
当然のことながら、上記署名ビットは、ランダムＩＤビットを含むことができる。このランダムＩＤビットによって、上述したように、衝突を有利に回避することができる。
【００１６】
本発明の特に有利な一態様によれば、移動無線通信装置を、ネットワークから受信したシグナリングに応じて上記選択ビットの構成を変化させるように構成することができる。
【００１７】
上記命令は、システム情報ブロック（ＳＩＢ）メッセージングを介して受信されることが好ましい。
【００１８】
特に、命令は、チャネル品質プリアンブル・フラグを含むことができる。このフラグは、例えば２ビットのフラグを含むことができる
【００１９】
本発明の他の態様によれば、移動無線通信ネットワーク内の移動無線通信装置に命令を送信するように構成されたネットワーク要素であって、上記命令がコーズＩＤビットと選択ビットとを含む多重ビット非同期ランダムアクセス・プリアンブル配列内の選択ビットの構成を決定するように機能し、上記選択ビットが少なくとも衝突回避用署名ビットを更に含む、ネットワーク要素が提供される。
【００２０】
上述のように、有利な柔軟性を、かかるネットワーク要素を使用することによって、非同期ランダムアクセス・プリアンブル・メッセージの構成に導入することができる。
【００２１】
更に、選択ビットは、ランダムＩＤビットと一緒に署名の一部となるＣＱＩビットを含むことができる。
【００２２】
特に、ネットワーク要素を、ＳＩＢメッセージング内で上記命令を送出するように構成することができ、上記命令は、プリアンブル品質指標フラグを含むことができる。このフラグは、２ビットのフラグで構成することができる。
【００２３】
有利なことに、トラフィック負荷、待ち時間要件、及びネットワーク要素位置のうちの１つ又は複数のパラメータ等のセルパラメータに対応して命令が送出される。
【００２４】
当然のことながら、特定の一実施形態において、ネットワーク要素は、ｅ−ＮＢ要素を含むことができる。
【００２５】
次いで、ネットワーク要素を、後続の非同期ランダムアクセス・プリアンブル・メッセージを受信して復号化するように、有利に構成することができる。
【００２６】
上記のように構成する際に、ネットワーク要素は、上記復号化を時間的制御するためのタイマーを含むことができる。
【００２７】
本発明の更に別の態様では、移動無線通信装置の多重ビット・ランダムアクセス・プリアンブル配列の構成を決定する方法であって、非同期ランダムアクセス・プリアンブル・メッセージがコーズＩＤビットと選択ビットとを含み、上記選択ビットが少なくとも衝突回避用署名ビットを含んでいる方法であり、移動無線通信装置で受信された命令に応答して上記選択ビットを選択するステップを含む方法が提供される。
【００２８】
上述のように、上記選択ビット（署名）は、ＣＱＩビットを有利に含むことができる。
【００２９】
方法は、ＳＩＢメッセージングを介して上記命令を受信するステップを含むことができる。このＳＩＢメッセージングにおいて、命令はここでも、一例では２ビットのフラグを具備するプリアンブル・チャネル品質フラグを含んでいる。
【００３０】
選択ビットの選択が対応している命令は、トラフィック負荷、待ち時間要件、及び例えばｅＮＢ位置のうちの少なくとも１つのパラメータ等のセルパラメータによって有利に決めることができる。
【００３１】
本発明の更なる態様によれば、移動無線通信ネットワーク内で動作する移動無線通信装置から配信されるランダムアクセス・プリアンブル等の非同期ランダムアクセス・プリアンブルであって、コーズＩＤビットと選択ビットとを含む多重ビット配列を含むランダムアクセス・プリアンブルであり、上記選択ビットが少なくとも衝突回避用署名ビットを含んでいる、ランダムアクセス・プリアンブルが提供される。
【００３２】
上記選択ビットは、ＣＱＩビットを含むように選択される構成になされることが好ましい。
【００３３】
更に、上記署名ビットは、ランダムＩＤビットを含むことができる。特定の一実施形態において、非同期ランダムアクセス・プリアンブル・メッセージは、中の２ビットが上記コーズＩＤビットを含んでいる６ビットのメッセージを含む。
【００３４】
かかるメッセージ内で、４ビットは、ＣＱＩビットを含むように少なくとも２ビットを選択し得る選択ビットを含むことができる。
【００３５】
本発明の更なる態様によれば、移動無線通信ネットワーク内の移動無線通信装置からの非同期ランダムアクセス・プリアンブルの配列を制御する方法であって、コーズＩＤビットと、少なくとも衝突回避用署名ビットを含む選択ビットとを含むプリアンブルの構成を決定するステップを含み、上記選択ビットを選択させるために、ネットワークから移動無線通信装置に命令を配信することを更に含む方法が提供される。
【００３６】
前に規定した方法と同様に、上記選択ビットはＣＱＩビットを含むことができ、且つ、署名ビットはランダムＩＤビットを含むことができる。
【００３７】
更に、ネットワークを、ＳＩＢシグナリング内で上記命令を配信するように構成することができる。この命令は、プリアンブル・チャネル品質フラグを含むことができる。このフラグは、一実施形態において、単純な２ビットのフラグを含む。
【００３８】
ネットワークから配信される命令の性質は、トラフィック負荷、待ち時間要件、及び例えばｅＮＢ位置のうちの少なくとも１つのパラメータ等のセルパラメータによって有利に決定される。
【発明の効果】
【００３９】
本発明は、プリアンブル配列に異なる諸方式を画策することによって、所望の柔軟性を有利に非同期ランダムアクセス・プリアンブル配列に導入することができる。これらの異なる諸方式は、特定の位置、並びに、特定のトラフィック上及び待ち時間上の制約に合うように改変することができる。
【００４０】
後で更に説明する図示の実施形態は、４つのかかる異なる方式を示しているが、本発明はそれらに限定されないことは理解されるべきである。
【００４１】
以下、次に紹介する添付図面を参照して、例示のみを目的に本発明を更に説明する。
【図面の簡単な説明】
【００４２】
【図１】本発明の一実施形態に係る６ビットの非同期ランダムアクセス・プリアンブル配列を示した図である。
【図２】（ａ）及び（ｂ）は、本発明の一実施形態に係る、４つの異なるＣＱＩ包含方式を考慮したプリアンブル配列の変形形態を示した図である。
【図３】本発明の一実施形態に係る移動無線通信装置内の動作を示すフローチャートである。
【図４】本発明の一実施形態に係るネットワーク要素の動作を示すフローチャートである。
【発明を実施するための形態】
【００４３】
上述したように、非同期ランダムアクセス・プリアンブル・メッセージングの配列は、ＲＡＮワーキンググループでの様々な議論の主題であった。この議論は、今のところ、ＲＡプリアンブルを送信すること、衝突回避用必須署名フィールド（ランダムＩＤ）を使用すること、及びプリアンブルのサイズを６ビットに設定すること、についてほぼ合意に至っている。
【００４４】
後の説明から分かるように、本発明は、ＲＡプリアンブル内でコーズＩＤフィールド及びＣＱＩフィールドを追加的に使用することに関する。
【００４５】
ｅＮＢが効率的な態様で上りリンクリソースを割り当て、待ち時間を低減できるようにするために、コーズＩＤフィールドを包含させることができる。その結果、有益なことに、１ステップのランダムアクセス手順が可能になる。
【００４６】
コーズＩＤフィールドについての要件は特定されているが、場合によっては使用され得るコーズＩＤの範囲及び優先順位について３ＧＰＰでは議論されていない。
【００４７】
チャネル品質表示（ＣＱＩ）は、一般的に、下りリンクの電力制御を支援するのに必要とされる。例えば、ｅＮＢが全くＣＱＩ情報を有していない場合、９５％程度の有効範囲を保証するように機能する固定下りリンク電力レベルが適用される。
【００４８】
これら３つのフィールドを使用することは潜在的に重要であると考えられており、且つ、それらは理想的には全て非同期ランダムアクセス・プリアンブル内に存在すると考えられているが、ペイロードとプリアンブルとの間でなされる関わりの性質について、３ＧＰＰではまだ厳密に決定されていない。
【００４９】
いずれにせよ、上述したように、公知のプリアンブル配列には１つの特別な不利益がある。柔軟性に鑑みれば、それは、様々なｅＮＢ位置に対して、並びに、異なる負荷状況及び待ち時間要件等のセルパラメータ／特性の変化に対して、対応性が良いとは言えないからである。
【００５０】
本発明の一実施形態は、添付図面を参照して後で更に説明するが、図示してあるように、プリアンブル内でコーズＩＤを使用することを支持するものである。本発明の図示の実施形態は、引き続き説明していくが、ハンドオーバー、初期アクセス、スケジューリング要求、及び上りリンク同期の各要件についての４つの異なる方式に関する。
【００５１】
本発明の特に重要な特徴として、例えば６ビットのプリアンブルのうちの４ビットを、組み合わせて上記ランダムＩＤビット及びＣＱＩビットに使用し、ＲＡプリアンブルの署名部を形成することができる。
【００５２】
かかる構造を図１に示す。同図において、最初の２ビットがコーズＩＤビット１２を含み、残り４ビットが選択ビット用に利用可能である、非同期ＲＡプリアンブル１０が示されている。この選択ビットは、ＣＱＩビットと署名ビットの組合せ１４を含むことができる。
【００５３】
特に図２（ａ）及び（ｂ）に関連して後で説明するように、６ビットのプリアンブルの構成、特にＣＱＩと署名の部分１４は、ネットワーク内の移動無線通信装置で受信されるシグナリングに基づいて選択的に決めることができる。プリアンブルに含まれる適切なＣＱＩを、待ち時間上の制約及び期待負荷等のセル特性を考慮して変更するために、構造は変更可能である。
【００５４】
更に後で説明する図示の実施形態は、４つの異なるＣＱＩ包含方式を用いることを提案しており、ＣＱＲ（ランダムアクセス・プリアンブル内のＣＱＩ）フラグを含む２ビットのフラグによって、ネットワークからのシグナリング命令を配信することができる。２ビットのＣＱＲフラグは、ＳＩＢメッセージング内で有利に一斉送信され、上述したように、どのＣＱＩ包含方式を適用するかを、ＣＱＩと署名のフィールド１４によって、移動無線通信装置に命令するように機能する。
【００５５】
次に図２（ａ）及び（ｂ）について説明すると、本発明の様々な動作方式に従って、非同期ＲＡプリアンブル・メッセージ１６、２２の異なる構成が示されている。
【００５６】
図２（ａ）において、図１と同様に、ＲＡプリアンブル１６は、２ビットのコーズＩＤフィールド１８と、４ビットの署名（ランダムＩＤ）フィールド２０のみから成る選択フィールドと、を含む。したがって、図２（ａ）において、選択フィールド内にＣＱＩフィールド・ビットは無い。
【００５７】
図２（ｂ）を参照すると、ここでも、２ビットのコーズＩＤフィールド２４が示されているが、この場合、ここでは４ビットの署名は、２個のＣＱＩビット２６と、２個のランダムＩＤビット２８と、を含んでいる。
【００５８】
図２（ａ）及び（ｂ）を参照して説明された上記の構造転換は、以下、更に詳細に後述するように、上記の４つのＣＱＩ包含方式に関連して生じる。これらのＣＱＩ包含方式は、ハンドオーバー、初期アクセス、スケジューリング要求、及び上りリンク同期の各方式に関連する。
【００５９】
第１のＣＱＩ包含方式では、ＣＱＲフラグ＝００の２ビットのＣＱＲフラグが用いられる。ここでは、図２（ａ）によって示されるように、ハンドオーバー型ＲＡプリアンブルに対しＣＱＩビットは無く、他の様式のＲＡプリアンブルに対しては、図２（ｂ）に示されるように、２個のＣＱＩビットが存在する。この結果、ハンドオーバーＲＡプリアンブルに対しては１６個の署名（２の４乗）があり、他の３つの様式のＲＡプリアンブルに対しては４個（２の２乗）〜１６個（２の４乗）の署名がある（ＣＱＩ値による）。このようにして、１つのＲＡプリアンブル様式当り平均１０個の署名を提供する。かかる方式は、ハンドオーバーＲＡが高い状況下及びハンドオーバー型ＲＡ衝突レベルが高い状況下で使用することができる。この結果、ハンドオーバー型ＲＡについての衝突確率は、最良で１／４に減少することになり、例えば、道路及びハンドオーバー量が大きくなり得る他の場所に隣接するセルにとって、特に有益となり得るであろう。
【００６０】
第２の方式、即ち初期アクセス方式では、ＣＱＲフラグは０１に設定される。ここでも、図２（ａ）に示されているように初期アクセス型ＲＡプリアンブルに対するＣＱＩビットは無く、図２（ｂ）に示されているように他の様式のＲＡプリアンブルに２個のＣＱＩビットが存在する。この場合も、初期ＲＡプリアンブル型に対して１６個の署名があり、他の３つの様式のＲＡプリアンブルに対しては４個〜１６個の署名がある（ＣＱＩ値による）。実用例として、ｅＮＢは、初期ＲＡが高い状況下及び初期アクセス型ＲＡ衝突レベルが高い状況下でこの方式を選択することができる。この結果、初期アクセスについての衝突確率は、最良で１／４に減少することになり、スタジアム、展示会、及び人口が多くなり得る他の場所に接近したセルにとって特に有益であることが分かる。
【００６１】
スケジューリング要求方式では、ＣＱＲフラグを１０に設定することができる。再び図２（ａ）を参照すると、スケジューリング要求型ＲＡプリアンブルに対してはＣＱＩビットは見られないが、図２（ｂ）にあるように、他の様式のＲＡプリアンブルには２個のＣＱＩビットが存在する。この場合も、スケジューリング要求型ＲＡプリアンブルに対して１６個の署名があり、他の３つの様式のＲＡプリアンブルに対しては４個〜１６個の署名がある（ＣＱＩビットによる）。一例として、ｅＮＢは、スケジューリング要求ＲＡが高い状況下及びスケジューリング要求型ＲＡ衝突レベルが高い状況下でこの方式を選択することができる。この結果、スケジューリング要求についての衝突確率を、最良で１／４に下げることができる。
【００６２】
最後に、上りリンク同期という第４のスケジューリング方式において、ＣＱＲフラグは１１に設定されることになる。図２（ａ）の構造にあるように、ここでも、Ｕｐｌｉｎｋ  Ｓｙｎｃｈ型ＲＡプリアンブルにＣＱＩビットが提供されておらず、図２（ｂ）にあるように、他の様式のＲＡプリアンブルには２個のＣＱＩビットが提供されている。この場合も、Ｕｐｌｉｎｋ  Ｓｙｎｃｈ  ＲＡプリアンブルに対して１６個の署名があり、他の３つの様式のＲＡプリアンブルに対しては４個〜１６個の署名がある（ＣＱＩ値による）。ｅＮＢは、上りリンク同期ＲＡが高い状況下及びＵｐｌｉｎｋ  ｓｙｎｃ型ＲＡ衝突レベルが高い状況下でこの最後のスケジューリング方式を選択する可能性が高い。ここでも、これは、上りリンク同期についての衝突確率を、最良で１／４に下げるように機能することができる。
【００６３】
上述したように、どの包含方式を用いるかは、図示の例では、ネットワークからのＳＩＢメッセージング内で提供し得る２ビットのＣＱＲフラグに基づいて個々に決定される。
【００６４】
関連するＳＩＢ内のＣＱＲフラグがひとたび受信され、読み取られれば、移動無線通信装置は、例えば図２（ａ）及び（ｂ）を用いて説明したように、適切なＣＱＩ包含方式を容易に適用することができる。
【００６５】
次いで、ｅＮＢの挙動には、ＣＱＲフラグの変化によって２つの選択肢がある。第１では、選択されたＲＡの様式に対するＣＱＩビット包含は、オフからオン（ＣＱＩｏｎ）に変化する。この場合、ｅＮＢは、新たなＣＱＲフラグを設定すると直にタイマー（Ｔｃｑｉ）を開始し、次いで、タイマー終了時に、ＲＡプリアンブルの新たな「ＣＱＩ包含方式」を用いて復号化を開始することになる。これは、ＣＱＩビットが存在するときにのみｅＮＢがＲＡプリアンブルのＣＱＩビットを復号化することを保証するように機能する。Ｔｃｑｉタイマー値は、ＣＱＲフラグを配送するシステム情報を、ＵＥがどのような頻度で読み取るかということと関連している。
【００６６】
第２の選択肢において、選択されたＲＡの様式に関するＣＱＩビット包含は、オンからオフに変化するか、又はオフ（ＣＱＩｏｆｆ）を継続する。ここで、ｅＮＢは、新たなＣＱＲフラグを設定すると直に、ＲＡプリアンブルの新たな「ＣＱＩ包含方式」を用いて復号化を開始する。
【００６７】
したがって、当然のことながら、本発明の特にこの図示の実施形態は、４個の後続ビットをＲＡプリアンブル内で署名フィールドとして使用でき、したがって、そういう事情で、残りの２ビットをコーズＩＤフィールドとして有利に使用し得るという点で、関連技術と異なる。
【００６８】
ＲＡプリアンブル内にＣＱＩビットを含めることは、署名ビットと一緒に、選択ビット内にＣＱＩビットを選択的に含めることで達成でき、ＣＱＩビットを含めることで、適切なように上述の４つのＣＱＩ包含方式を達成することができる。
【００６９】
すなわち、本発明の特に重要な特徴は、ＣＱＩ情報を、４個の署名ビットを含む署名フィールド内に含めることができることである。
【００７０】
次に図３について説明すると、移動無線通信装置内でなされる本発明の一実施形態の動作を示すフローチャートが供されている。
【００７１】
前に説明したように、図３のフローチャートが、実行可能な上記の第１のＣＱＩ包含方式を採用すること、即ち、実行可能なハンドオーバーＲＡプリアンブル方式に特に関していることは、理解されるべきである。
【００７２】
処理３０は、移動無線通信装置を起動することで、ステップ３２から始まる。
【００７３】
ステップ３４において、装置は、関連するシステム情報から得られたＣＱＲフラグを読み取る。例えば、２ビットのフラグが００を含んでいる場合、無線通信装置は、生成される次の非同期ＲＡプリアンブルにおいて、上述のように第１のＣＱＩ包含方式を適用するように構成される。
【００７４】
処理はステップ３６に進み、そこで次の非同期ＲＡプリアンブルの実体が決まる。
【００７５】
ステップ３８において、ＲＡプリアンブルが上述したようなハンドオーバー型であるか否かが決まり、もしそうであれば、手順はステップ４０に進む。この場合、移動無線通信装置は、プリアンブルの選択部にも、プリアンブル１６自身にもＣＱＩビットが含まれていない、図２（ａ）に示すＣＱＩ包含方式を使用する。
【００７６】
しかし、ステップ３８においてＲＡがハンドオーバーＲＡプリアンブルではないと判断された場合は、処理はステップ４２に進む。このステップにおいて、移動無線通信装置は、第１のＣＱＩ包含方式を用いるように、但し図２（ｂ）に示すようにＣＱＩフィールドに２ビット２６が存在する状態で、制御される。
【００７７】
次に図４について説明すると、ここでも本発明の一実施形態による処理が示されているが、同図では、ネットワーク内のｅＮＢにおける動作に関連させて示されている。
【００７８】
したがって、図４は、ネットワーク要素で、移動無線通信装置から遠く離れてなされるネットワーク手順に関し、遭遇する可能性の高いトラフィック負荷及び待ち時間要件のうちの少なくとも１つに最適のＣＱＩ包含方式をｅＮＢが選択することにより、ステップ４４から始まる。
【００７９】
したがって、ｅＮＢは、移動無線通信装置に配信されるＳＩＢにおいて２ビットのＣＱＲフラグを００に設定し、更に、値をＴｃｑｉにしてタイマーを開始する。
【００８０】
ステップ４６において、ｅＮＢは、移動無線通信装置からＲＡプリアンブルを受信し、ステップ４８において、ＲＡプリアンブルがハンドオーバー型であるか否かが判断される。
【００８１】
ステップ４８においてＲＡプリアンブルがハンドオーバー型であると識別された場合、手順はステップ５０に進む。この場合、ｅＮＢは、非同期ＲＡプリアンブル復号化において、やはり図２（ａ）に示すようなＣＱＩが無い状態の第１のＣＱＩ包含方式を用いる。
【００８２】
しかし、ステップ４８においてＲＡプリアンブルがハンドオーバー・プリアンブルではないと判断された場合、手順はステップ５２に進み、そこで、ＣＱＩフィールドがオフからオンに変化したか否かが判断される。
【００８３】
上記の変化が起きていなければ、手順は次いで、上述したようにステップ５０に進む。
【００８４】
しかし、ステップ５２において、ＣＱＩフィールドにオフからオンの変化が起きたと判断された場合は、処理はステップ５４に進み、そこで、以前に始動させたタイマーＴｃｑｉが実際に終了しているか否かが判断される。
【００８５】
タイマーが終了していた場合、手順はステップ５０に進む。そうでない場合は、処理はステップ５６に進み、タイマーＴｃｑｉが終了するまで新たなＣＱＩ包含方式の使用を遅らせる。これを達成するために、当然のことながら、タイマーＴｃｑｉが最終的に終了できるように、ステップ５６はループでステップ５４に戻る。
【００８６】
ＣＱＩビットがＲＡプリアンブルに存在することを保証するためにｅＮＢがタイマーＴｃｑｉの終了を待つことは、本発明の特別な利点である。
【００８７】
したがって、本発明の効率的で且つ特に信頼性の高い動作を達成することができる。
【００８８】
上記した具体的な細部のいずれにも本発明を限定する必要がないことは、当然に理解されるべきである。例えば、ＣＱＩは、上記したような０ビット又は２ビットのいずれかに限定される必要はなく、所望に応じて任意の適切な個数を含むことができる。更に、ＣＱＲフラグは、コーズＩＤに基づいて任意の適切な個数のビットを含むことができ、したがって、更に別の例として、コーズＩＤを明示的に包含するか黙示的に包含するかに関らず、１ビット又は３ビットを含むことができる。
【００８９】
当然のことながら、特に本発明の図示の実施形態によれば、本発明は、非同期ＲＡプリアンブル配列に有利に柔軟性を導入することができ、且つ、関連技術に著しく不足している適合性を上記配列が有利に達成できるように、少なくとも４つの実行可能な包含方式を有利に用意している。
【図１】
2010516068.tif 000003
【図２】
2010516068.tif 000004
【図３】
2010516068.tif 000005
【図４】
2010516068.tif 000006
【国際調査報告】
2010516068.tif 000007
2010516068.tif 000008